【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
眼の目的の光学形状を実現するために必要な光学パラメータを有する、眼内にインプラント可能な人工レンズインプラントであって、
前記眼の目的の光学形状が、
若年時に前記患者について徹底した眼の検査を行い、その光学特性を記録すること、又は、前記患者について徹底した眼の検査を行い、相応するデータを前記患者の視力が良好であった時にさかのぼって外挿し、若年時における相応するデータの値を計算または推定すること、のいずれかによって決定される、人工レンズインプラント。
【請求項２】
前記患者についての徹底した眼の検査が、黄斑の幾何学的形状を決定すること、および黄斑の幾何学的形状の補正を含む前記目的の光学形状を決定すること、を含む、請求項１に記載の人工レンズインプラント。
【請求項３】
前記人工レンズインプラントが、眼の前記目的の光学形状を実現するためにカスタマイズされた球面収差を有する、請求項１に記載の人工レンズインプラント。
【請求項４】
前記人工レンズインプラントが、眼において手術後に調整することができる光学パラメータを有する、請求項１に記載の人工レンズインプラント。
【請求項５】
前記術後調整が、電磁放射の制御された吸収によって実現される、請求項４に記載の人工レンズインプラント。
【請求項６】
前記術後調整が、レンズに埋め込まれた１つまたは複数の記憶エレメントの形状変化によって実現され、前記変化が、電磁放射の制御された吸収によって実現される、請求項４および５のいずれか一項に記載の人工レンズインプラント。
【請求項７】
前記術後調整が、前記レンズの選択された領域内の屈折率変化によって実現される、請求項４および５のいずれか一項に記載の人工レンズインプラント。
【請求項８】
前記人工レンズインプラントが、親水性ポリマー材料を含む、請求項３〜５のいずれか一項に記載の人工レンズインプラント。
【請求項９】
前記親水性材料が、眼内環境との平衡状態における液体含量が１７％超のヒドロゲルを含む、請求項８に記載の人工レンズインプラント。
【請求項１０】
前記親水性材料が、眼内環境との平衡状態における液体含量が４０％〜５０％のヒドロゲルである、請求項８に記載の人工レンズインプラント。
【請求項１１】
前記親水性材料またはヒドロゲルが、ペンダントカルボキシル基を有するモノマー単位を少ない割合で含有するポリマーを含む、請求項８〜１０のいずれか一項に記載の人工レンズインプラント。
【請求項１２】
前記親水性材料またはヒドロゲルが、紫外線を吸収することができるペンダント基を有するモノマー単位を少ない割合で含有するポリマーを含む、請求項８〜１１のいずれかに記載の人工レンズインプラント。
【請求項１３】
前記レンズインプラントが、第１境界内にあり前方頂部を定める中央部前方光学表面と、第２境界内にあり後方頂部を定める中央部後方光学表面と、前方頂部と後方頂部とを結ぶ光軸と、を有する中央光学部を含み、前記光学表面の少なくとも１つが、中心半径Ｒｏと円錐定数ｋとを含む関数によって規定される１つもしくは複数の円錐曲線（ｃｏｎｉｃ  ｓｅｃｔｉｏｎ）の回転によって、または円錐曲線（ｃｏｎｉｃ  ｓｅｃｔｉｏｎ）を記述する関数によって規定される非円錐曲線の回転によって規定され、前記「中心半径の関数」および「円錐関数」の少なくとも１つが、光軸からの距離の関数であり、前記中心半径および円錐定数の値、または前記中心半径の関数および円錐関数が、眼の元来の光学形状に合致する目的の光学形状を実現するために選択される、請求項３、および９〜１２のいずれかに記載の人工レンズインプラント。
【請求項１４】
前記人工レンズインプラントが、角膜実質内インレーである、請求項３〜５のいずれか一項に記載の人工レンズインプラント。
【請求項１５】
前記人工レンズインプラントが、前眼房レンズである、請求項３〜５のいずれかに記載の人工レンズインプラント。
【請求項１６】
前記人工レンズインプラントが、虹彩と天然のレンズとの間にインプラントされる有水晶体レンズである、請求項３〜５のいずれか一項に記載の人工レンズインプラント。
【請求項１７】
前記人工レンズインプラントが、前記天然の水晶体を少なくとも部分的に置き換える、請求項３〜５、および１３のいずれか一項に記載の人工レンズインプラント。
【請求項１８】
前記人工レンズインプラントが、負の球面収差を有する、請求項３〜５のいずれか一項に記載の人工レンズインプラント。
【請求項１９】
前記負の収差が、前記人工レンズの前方光学表面および前記人工レンズの後方光学表面の少なくとも１つの幾何学的形状の結果である、請求項１８に記載の人工レンズインプラント。
【請求項２０】
少なくとも前記後方光学表面が、双曲面表面である、請求項１９に記載の人工レンズインプラント。
【請求項２１】
前記双曲面表面の少なくとも１つが、非円錐双曲面表面であり、その「円錐定数」が、光軸からの距離の関数である、請求項２０に記載の人工レンズインプラント。
【請求項２２】
前記電磁放射が、前記レンズの選択された体積要素の屈折率を変化させる、請求項５に記載の人工レンズインプラント。
【請求項２３】
前記電磁放射が、選択された記憶エレメントを、転移温度を上回るように加熱することによって、光学的界面の幾何学的形状を変化させる、請求項６に記載の人工レンズインプラント。
【請求項２４】
ヒトの眼内にインプラント可能な人工レンズインプラントであって、前記インプラントが、第１境界内にあり前方頂部を定める中央部前方光学表面と、第２境界内にあり後方頂部を定める中央部後方光学表面と、前方頂部と後方頂部とを結ぶ光軸とを含み、前記中央光学部が、電磁放射の制御された吸収によって成形され、
前記人工レンズインプラントが、前記前方光学表面および前記後方光学表面の少なくとも１つの幾何学的形状の結果である負の球面収差を有し、
少なくとも前記後方光学表面が、双曲面表面であり、前記後方光学表面の少なくとも大部分は、一般に、非円錐曲線を光軸のまわりに回転させることによって形成される滑らかな凸表面によって形成され、且つ、
少なくとも後方光学表面が一定の負電荷を持っている、ヒトの眼内にインプラント可能な人工レンズインプラント。
【請求項２５】
前記人工レンズインプラントが、角膜実質内インレー、前眼房レンズ、有水晶体レンズ、およびヒドロゲルレンズからなる群から選択される、請求項２４に記載の人工レンズインプラント。
【請求項２６】
前記双曲面表面の少なくとも１つが、非円錐双曲面表面であり、その「円錐定数」が、光軸からの距離の関数である、請求項２４に記載の人工レンズインプラント。
【請求項２７】
前記電磁放射が、前記レンズの選択された体積要素の屈折率を変化させる、請求項２４に記載の人工レンズインプラント。
【請求項２８】
前記後方光学表面が、双曲面状の非円錐表面によって形成された周縁面、並びに、双曲面、放物面、球面、又はそれらの組み合わせである中央光学表面を含む、請求項２４に記載の人工レンズインプラント。
【請求項２９】
前記一定の負電荷がカルボキシル基に起因する、請求項２４に記載の人工レンズインプラント。
【請求項３０】
前記インプラントが、液体含量が１７〜９０重量％の親水性ポリマー材料を含む、請求項２４に記載の人工レンズインプラント。